(57)【要約】【課題】  コインガイドにおけるメダルの接触ポイントを減じることで摩擦抵抗を軽減させ、コインの通過速度を上げるとともに、取付け角度を従来よりも小さくして、コインガイドをコンパクトのものとする。【解決手段】  コインセレクタとホッパとの間に配置されるコインガイドを、起立状態で転動するコインを方向転換させるコーナー部Ｘを有する平面視台形状のガイド台２８と、このガイド台２８の側壁２８ａ〜２８ｄに相対して配置されるガイド壁面２７と、ガイド台の側壁とガイド壁面の間に形成する溝路２６とで構成し、コインセレクタから起立状態で送り出されたコインを、外側のガイド壁面２７側に傾斜させて受入れたのち、ガイド台２８のコーナー部Ｘで方向転換させてホッパに送り出すまでの間は、内側のガイド台の側壁２８ａ〜２８ｄに沿って傾斜させた状態を保持しながら転動させる。【選択図】        図１
2006081787.tif 000002
【特許請求の範囲】
【請求項１】
コインを投入するためのコイン投入口と、投入されたコインの真偽を判別するためのコインセレクタと、コインを貯留するとともに、賞としてのコインを払い出すためのホッパと、このホッパにより払い出されたコインを受入れるためのコイントレイと、前記コインセレクタにより真正と判別されたコインを、前記ホッパへ導くためのコインガイドとを備えた遊技機において、
前記コインガイドは、起立状態で転動するコインを方向転換させるコーナー部を有する平面視台形状のガイド台と、このガイド台の側壁に相対して配置されるガイド壁面と、前記ガイド台の側壁とガイド壁面の間に形成する溝路とで構成されるものであって、
前記コインセレクタから起立状態で送り出されたコインを、外側のガイド壁面側に傾斜させて受入れたのち、ガイド台のコーナー部で方向転換させてホッパに送り出す間は、内側のガイド台の側壁に沿って傾斜させた状態を保持しながら転動させるよう溝路を構成したこと
を特徴とする遊技機。
【請求項２】
前記溝路は、
底面が円弧状で、上方に向かって緩やかに拡がる断面形状がほぼＵ字状であること
を特徴とする請求項１に記載の遊技機。
【請求項３】
前記ガイド壁面は、
前記ガイド台のコーナー部と相対する部位の上部に、前記ガイド台方向に向けてひねりを形成したこと
を特徴とする請求項１に記載の遊技機。
【請求項４】
前記コインセレクタから供給されるコインを受入れる始端部における溝路は、
前記ガイド台の側壁をほぼ垂直に形成するとともに、該ガイド台に相対するガイド壁面が上方に向かって、前記ガイド台から離間する側に膨出するよう形成されていること
を特徴とする請求項１に記載の遊技機。
【請求項５】
前記ガイド壁面は、
前記コインセレクタ側の上部を、前記ガイド台から離間する側に膨出させたこと
を特徴とする請求項１又は３に記載の遊技機。
【請求項６】
前記始端部に続く溝路は、
前記ガイド台の側壁に、該側壁下部をコーナー部に向けて緩やかにガイド壁面側に膨出させて傾斜面を形成し、この傾斜面とほぼ平行になるようガイド壁面の上部を内側に傾倒させ、転動するコインをガイド台側に傾斜させるよう形成されていること
を特徴とする請求項４に記載の遊技機。
【請求項７】
前記コーナー部近傍の溝路は、
前記コーナー部近傍の側壁の下部を、さらにガイド壁面側に膨出させて傾斜角の大きい傾斜面を形成し、この傾斜角の大きい傾斜面とほぼ平行になるようガイド壁面の下部をガイド台から離間する側に膨出させ、転動するコインをガイド台側に大きく傾斜させるよう形成されていること
を特徴とする請求項４に記載の遊技機。
【請求項８】
前記コーナー部以降の溝路は、
ホッパへの送り出し口まで、前記傾斜面からなる側壁と相対するガイド台の直線状の側壁と平行になるよう直線状に形成されていること
を特徴とする請求項７に記載の遊技機。
【発明の詳細な説明】
【技術分野】
【０００１】
この発明は、スロットマシンのように、硬貨やメダルなどのコインを、コイン投入口へ投入して遊技を行う遊技機に関するものである。
【背景技術】
【０００２】
コイン投入口へ、コインを投入して遊技を行う遊技機として、例えば、停止ボタンを備えたスロットマシン、いわゆるパチスロ機がある。
【０００３】
このようなパチスロ遊技機１としては、例えば、特開平８−２４４３４号公報（特許文献１）や、特開２００２−１７７４４５号公報（特許文献２）などが知られているが、図１８に示すように、前面に開閉可能な前面扉２を有する筐体３を備え、前面扉２には、その前面のほぼ中央より上部に３個の表示窓４ａ〜４ｃを設け、表示窓４ａ〜４ｃには、筐体３の内部に配置した３個のリール５ａ〜５ｃの外周表面がそれぞれ臨んでいる。
【０００４】
また、表示窓４ａ〜４ｃの周辺には、各表示窓４ａ〜ｃ４を横断して、有効となる入賞ラインを表示するための入賞ライン表示６ａ〜６ｅが施されている。この入賞ライン表示６ａ〜６ｅは、横３本と、この横線と交差する斜め２本の合計５本からなっている。さらに、各入賞ライン表示６ａ〜６ｅの左端側には、有効となる入賞ラインを表示するための有効ライン表示ランプ７ａ〜７ｃが設けられている。
【特許文献１】特開平  ８−２４４３４号公報（第２頁の従来技術、図１〜図１２）
【特許文献２】特開２００２−１７７４４５号公報（図１〜図３）
【０００５】
かかる構成のパチスロ遊技機１は、前記特許文献２でも明らかなように、表示窓４ａ〜４ｃの下側には、遊技に供するコインを１枚ずつ投入するためのコイン投入口８と、クレジットされた範囲内で、遊技に供するコインを１枚ずつ投入するためのベットスイッチ９と、クレジットされた範囲内で、遊技に供するコインを最大許容賭け数（例えば３枚）まで投入するためのマックスベットスイッチ１０が設けられている。
【０００６】
また、表示窓４ａ〜４ｃの下側には、遊技者が獲得したコインをクレジットするか、払い出すかを切り替えるためのＣ／Ｐスイッチ１１と、コインの投入を条件として各リール５ａ〜５ｃの回転を開始させるためのスタートスイッチ１２と、各リール５ａ〜５ｃに個別に対応して、各リール５ａ〜５ｃの回転を停止させるための３個のストップスイッチ１３ａ〜１３ｃが設けられている。
【０００７】
また、前記有効ライン表示ランプ７ａ〜７ｃの下には、クレジット表示部３６が設けられる。このクレジット表示部３６は、７セグメントＬＥＤから成り、貯留されているメダルの枚数を表示する。
【０００８】
また、表示窓４ａ〜４ｃの右側には、当り表示ランプ（いわゆるＷＩＮランプ）３４及び払出表示部３５が設けられている。この当り表示ランプ３４は、ビッグボーナス（ＢＢ）又はレギュラーボーナス（ＲＢ）に内部当選した場合に所定確率で点灯し、ＢＢ又はＲＢの入賞が成立したことにより消灯する。
ビッグボーナス（ＢＢ）は、遊技者に相対的に大きい利益を与えるゲームを所定回数行える役である。レギュラーボーナス（ＲＢ）は、遊技者に相対的に小さい利益を与えるゲームを所定回数行える役である。
なお、ＢＢ及びＲＢを総称して、以下「ボーナス」という。前記払出表示部３５は、７セグメントＬＥＤから成り、入賞成立時のメダルの払出枚数を表示する。
【０００９】
また、前記パネル表示部３ａの右側上部には、ボーナス遊技情報表示部３７が設けられている。このボーナス遊技情報表示部３７は、７セグメントＬＥＤから成り、ボーナス中一般遊技状態におけるゲームの回数等を表示する。
さらに、表示窓４ａ〜４ｃの下方には、水平面の台座部３２が形成され、その台座部３２と表示窓４ａ〜４ｃとの間には、液晶表示装置３１が設けられている。この液晶表示装置３１には、遊技に関連する情報等が表示される。
【００１０】
前記液晶表示装置３１は、リール５ａ〜５ｃの前のフロントセンターガラス全面に、１５インチフルカラー透明液晶を搭載したもので、コンピュータグラフィックスとリールの織り成す立体感のある演出が可能である。
【００１１】
また、前記３個のストップスイッチ１３ａ〜１３ｃの右隣には、選択ボタン３３ａと決定ボタン３３ｂとが設けられている。
一方の選択ボタン３３ａは、「大当たり確率」「ビックボーナス確率」「レギュラー確率」「小役確率」「一日の当該機のスランプグラフ」などを選択するもので、他方の決定ボタン３３ｂは、前記選択ボタン３３ａの選択に基づいて、その項目を液晶表示装置３１に表示させるものである。
【００１２】
また、前面扉２の下部には、賞として払い出されたコインを受け入れるためのコイントレイ１４が設けられ、このコイントレイ１４に臨むようにして、コイン払出口１５が設けられている。
また、コイントレイ１４の上方に位置する前面扉２の前面上部には、スピーカ１７が設けられ，このスピーカ１７の間には、入賞図柄の組合せ及びメダルの配当枚数等を表示する配当表パネル３８が設けられている。
【００１３】
前記した筐体３の内部には、表示窓４ａ〜４ｃに外周表面を臨ませる位置に、それぞれリール５ａ〜５ｃを回転可能に配置し、コイン払出口１５に連通する位置に、賞としてのコインを払い出すためのホッパ１８が配置されている。（図２０参照）
【００１４】
前記ホッパ１８は、図２０に示すように、コイン投入口８から投入された真正なコインを受け入れるためのバケット１９と、このバケット１９の下方に位置し、賞としてのコインを計数して払い出すためのコイン払出装置２０と、このコイン払出装置２０を電気的に制御するための制御基板２１とを備えている。
【００１５】
また、前記バケット１９の側方には、スロットマシン１に電源を供給するための電源供給装置２２が配設されている。
【００１６】
また、スロットマシン１の前面扉２の裏側には、図１９に示すように、コイン投入口８から投入されたコインの、真偽を判別するためのコインセレクタ２３が設けられている。このコインセレクタ２３では、コインの大きさ、形状、重量等に基づいてコインの真偽を判別し、真正なコインである場合には、スロットマシン１における遊技を行わせる一方、不真正なコインである場合には、当該コインを強制的に機外へ排出する。
【００１７】
前記コインセレクタ２３の下方には、真正と判断されたコインをホッパ１８へ導くためのコインガイド２４と、不真正と判断されたコインをコイントレイ１４へ導くためのキャンセルシュート２５とが設けられている。
【００１８】
前記コインガイド２４は、コインを縦方向にやや傾斜させた状態で転動させるように構成されたもので、図１１〜図１３に示すように、前記溝路２６は、コインセレクタ２３から送りだされるコイン２９を、ホッパ１８へ供給するため、送り出されたコイン２９の方向を変換させるためのコーナー部２８ｆを有する平面視台形状のガイド台２８と、このガイド台２８の外側に配置されるガイド壁面２７との間に形成されたものである。
【００１９】
この溝路２６は、底面部がU字状で、上方が拡開する断面ほぼＶ字形のものである。すなわち、前記ガイド壁面２７は、前記ガイド台２８の側壁２８ｇの傾斜面に対し、下方から上方に至るに従って離間するよう、その上方を全体的に外側に傾倒させて配置したものである。
【発明の開示】
【発明が解決しようとする課題】
【００２０】
従来のコインガイド２４においては、コインセレクタ２３から送り出されたコイン２９は、立った状態で溝路２６内に送り込まれ、ガイド台２８のコーナー部２８ｆにおいて方向を９０°変換させて、ホッパ１８へ送り込むものであるが、図１３、図１５に示されるように、前記溝路２６を形成する外側のガイド壁面２７を大きく外側に張り出させ、溝路２６を断面ほぼＶ字状としているので、コイン２９は、図１４に示すように、遠心力により外側のガイド壁面２７に沿って、溝路２６を通過する。
【００２１】
したがって、メダル２９は、図１５、図１６に示すように、溝路２６の底部αと、外側のガイド壁面２７に対して、左右の2点のβ、γのポイントでそれぞれ接触し、計３ヶ所で摩擦抵抗を受けることになる。
【００２２】
そのため、メダル２９は、コインガイド２４のバンク部分、すなわち、溝路２６の底部αとガイド壁面２７で大きな抵抗を受けることになるので、コイン２９の通過スピードの損失が大きく、それを補うために、コインガイド２４は、筐体３に対して一定以上の取付け角度を必要とした。
【００２３】
また、この取付け角度がないと、スピードの損失が大き過ぎて、次に来るメダルと衝突するおそれがあるとともに、一定の取付け角度を必要とするため、筐体３内における設計の自由度がなく、ガイド壁面２７が大きく外側に張り出しているので、張り出した分だけ設置に場所を占めるなど解決すべき課題があった。
【００２４】
この発明はかかる現状に鑑み、コインガイドにおけるメダルの接触ポイントを減じることで摩擦抵抗を軽減させ、コインの通過速度を上げるとともに、取付け角度を従来よりも小さくして、コインガイドをコンパクトのものとすることができる遊技機を提供するものである。
【課題を解決するための手段】
【００２５】
前記の目的を達成するため、この発明の請求項１に記載の発明は、
コインを投入するためのコイン投入口と、投入されたコインの真偽を判別するためのコインセレクタと、コインを貯留するとともに、賞としてのコインを払い出すためのホッパと、このホッパにより払い出されたコインを受入れるためのコイントレイと、前記コインセレクタにより真正と判別されたコインを、前記ホッパへ導くためのコインガイドとを備えた遊技機において、
前記コインガイドは、起立状態で転動するコインを方向転換させるコーナー部を有する平面視台形状のガイド台と、このガイド台の側壁に相対して配置されるガイド壁面と、前記ガイド台の側壁とガイド壁面の間に形成する溝路とで構成されるものであって、
前記コインセレクタから起立状態で送り出されたコインを、外側のガイド壁面側に傾斜させて受入れたのち、ガイド台のコーナー部で方向転換させてホッパに送り出す間は、内側のガイド台の側壁に沿って傾斜させた状態を保持しながら転動させるよう溝路を構成したこと
を特徴とする遊技機である。
【００２６】
また、この発明の請求項２に記載の発明は、
請求項１に記載の遊技機において、
前記溝路は、
底面が円弧状で、上方に向かって緩やかに拡がる断面形状がほぼＵ字状であること
を特徴とするものである。
【００２７】
また、この発明の請求項３に記載の発明は、
請求項１に記載の遊技機において、
前記ガイド壁面は、
前記ガイド台のコーナー部と相対する部位の上部に、前記ガイド台方向に向けてひねりを形成したこと
を特徴とするものである。
【００２８】
また、この発明の請求項４に記載の発明は、
請求項１に記載の遊技機において、
前記コインセレクタから供給されるコインを受入れる始端部における溝路は、
前記ガイド台の側壁をほぼ垂直に形成するとともに、該ガイド台に相対するガイド壁面が上方に向かって、前記ガイド台から離間する側に膨出するよう形成されていること
を特徴とするものである。
【００２９】
また、この発明の請求項５に記載の発明は、
請求項１又は３に記載の遊技機において、
前記ガイド壁面は、
前記コインセレクタ側の上部を、前記ガイド台から離間する側に膨出させたこと
を特徴とするものである。
【００３０】
また、この発明の請求項６に記載の発明は、
請求項４に記載の遊技機において、
前記始端部に続く溝路は、
前記ガイド台の側壁に、該側壁下部をコーナー部に向けて緩やかにガイド壁面側に膨出させて傾斜面を形成し、この傾斜面とほぼ平行になるようガイド壁面の上部を内側に傾倒させ、転動するコインをガイド台側に傾斜させるよう形成されていること
を特徴とするものである。
【００３１】
また、この発明の請求項７に記載の発明は、
請求項４に記載の遊技機において、
前記コーナー部近傍の溝路は、
前記コーナー部近傍の側壁の下部を、さらにガイド壁面側に膨出させて傾斜角の大きい傾斜面を形成し、この傾斜角の大きい傾斜面とほぼ平行になるようガイド壁面の下部をガイド台から離間する側に膨出させ、転動するコインをガイド台側に大きく傾斜させるよう形成されていること
を特徴とするものである。
【００３２】
さらに、この発明の請求項８に記載の発明は、
請求項７に記載の遊技機において、
前記コーナー部以降の溝路は、
ホッパへの送り出し口まで、前記傾斜面からなる側壁と相対するガイド台の直線状の側壁と平行になるよう直線状に形成されていること
を特徴とするものである。
【発明の効果】
【００３３】
この発明の遊技機は、コインセレクタとホッパとの間に配置されるコインガイドにおいて、コインを起立状態で通過させる溝路を、前記ガイド壁面と、ガイド台の側壁との間に形成するに際し、コインセレクタから起立状態で送り出されたコインを、外側のガイド壁面側に傾斜させて受入れたのち、ガイド台のコーナー部で方向転換させてホッパに送り出す間は、内側のガイド台の側壁に沿って傾斜させた状態を保持しながら転動させるよう構成されているので、コインの溝路を通過する際に生ずるコインとガイド側壁との間に生ずる摩擦抵抗を軽減することができる。その結果、今までの取付け角度よりも小さい角度で取付けることを可能とした。また、ガイド台のコーナーの側壁と相対するガイド壁面の上部を、内側方向に向けてひねりを形成させることによって、ガイド側壁の外側への膨出を抑えたので、コインガイド全体をコンパクトにすることを可能としたものである。
【００３４】
特に、この発明においては、コインセレクタ側の始端部にほぼ起立状態ないしは外側に傾く状態で受入れたコインを、終端部に向けて常時ガイド台の側壁に沿って、すなわち内側に傾く状態で転動するよう溝路を形成すれば、コインの溝路を通過する際に生ずる摩擦抵抗を大幅に軽減することができる。
【００３５】
その際、ガイド台のコーナー部に入る手前の側壁の傾斜角度よりも、コーナー部における側壁の傾斜角度を大きくし、Ｕ字状の溝路全体が内側に傾く形状とすることによって、転動するコインが溝路を構成する外側のガイド側壁と接触せず、溝路の底面と側壁の一部とのみ接触させるようにすれば、より摩擦抵抗を減ずることが可能となる。
【００３６】
さらに、コーナー部以降の溝路を、前記傾斜面からなる側壁と相対する、ガイド台の直線状の側壁と平行するよう直線状に形成することによって、溝路を短くし、ホッパへの転動時間を短縮させ、しかもスムーズにコインを排出することができる。
【発明を実施するための最良の形態】
【００３７】
以下、図面に基づいて、この発明にかかる遊技機の一実施形態を説明するが、コインセレクタから受入れた起立状態のコインを、ホッパに送り出すまでの間、常時、ガイド台の側壁に沿って内側に傾斜させた状態を保持しながら転動させるという要旨を変更しない範囲内において種々の変更を加えることができるものである。
なお、以下に示す実施形態では、コインを使用して遊技を行う代表的な遊技機として、パチスロ遊技機を例にとって説明を行うが、従来例と同一部材については、同一の符号を使用して説明する。
【００３８】
図１は、この発明の一実施形態に係るスロットマシンのコインセレクタ２３とコインガイド２４との平面図、図２は同上コインガイド２４の平面図である。
【００３９】
前記従来例で説明したように、コインセレクタ２３は、コイン投入口８から投入されたコインの真偽を判別するためのもので、コインガイド２４はコインセレクタ２３の下方に設けられ、真正と判断されたコインのみをホッパ１８へ導くためのものである。
【００４０】
なお、スロットマシン１の全体としては、前記従来例として図１８を参照して説明した通りのもので、詳細説明は省略するが、前面扉２の下部には、賞として払い出されたコインを受入れるためのコイントレイ１４が設けられ、コイントレイ１４に臨むようにして、コイン払出口１５が設けられている。
【００４１】
この発明において、コインガイド２４は、直方体の一部頂部を切欠いて円弧状のコーナー部Ｘを形成したガイド台２８と、このガイド台２８のコーナー部Ｘ側の外側に配置されるガイド壁面２７と、このガイド壁面２７の底部と、前記ガイド台２８のコーナー部Ｘを含む側壁側の底部との間に形成される、断面形状がＵ字状の溝路２６とから構成されている。
【００４２】
前記溝路２６は、コインセレクタ２３から起立状態で送り出されたコイン２９を外側のガイド壁面２７側に傾斜させて受入れたのち、ガイド台２８のコーナー部Ｘで方向転換させてホッパ１８に送り出す間は、内側のガイド台２８の側壁に沿って傾斜させた状態を保持しながら転動させるよう構成されたものである。
【００４３】
すなわち、コインセレクタ２３側の始端部の溝路２６は、図３〜図４に示すように、前記ガイド台２８の短辺側の側壁２８ａを、下端面が上端面より僅かに突出する程度に傾斜（ほぼ垂直と表現する）して形成させるとともに、相対するガイド壁面２７を上方に向かって外側に膨出するよう形成し、コインセレクタ２３から供給されたコインを外側（ガイド壁面２７側）に僅かに傾倒させ、コインのスムーズな受入れを行なう。
【００４４】
この始端部に続く溝路２６は、前記ガイド台２８の短辺側の側壁２８ｂ下部を、図２および図５に示すように、コーナー部Ｘに向けて緩やかに外側に膨出させて傾斜面を形成するとともに、この傾斜面とほぼ平行するようガイド壁面２７の上部を内側に傾倒させて形成したもので、始端部を通過したコインを、ガイド台２８側、すなわち、内側に傾倒させるよう構成されている。
【００４５】
ついで、前記コーナー部Ｘ近傍の溝路２６は、図６で示すように、コーナー部Ｘ近傍、すなわち、転動するコインの転動方向を変換させるコーナー部Ｘ前後の側壁２８ｃの下部を、さらに外側に膨出させて傾斜角の大きい傾斜面を形成し、この傾斜角の大きい傾斜面とほぼ平行するようガイド壁面２７の下部を外側に膨出させ、転動するコインをガイド台２８側に大きく傾斜させるよう形成されている。
【００４６】
なお、ガイド台２８のコーナー部Ｘと相対するガイド壁面２７は、Ｕ字状の溝路２６の幅を一定に保持するため、その下部を外側に膨出させるので、その上部壁面も当然外側に膨らみ、その膨らみ分だけコインガイド装置が大型化するので、この発明においては、図１、図２および図７で明らかなように、コーナー部Ｘと相対するガイド壁面２７の上部を内側に湾曲膨出させてひねり３０を形成させ、ガイド壁面２７による装置の大型化を防いでいる。
【００４７】
前記コーナー部Ｘ以降、ホッパ１８側の終端部までの溝路２６は、特に図７で明らかなように、ガイド台２８の長辺側の側壁２８ｄは、側壁２８ｄと相対する直線状の側壁２８ｅと平行させて直線状とし、かつ前記側壁２８ｃにおける傾斜面を維持させ、これに対応してガイド壁面２７も同じく内側に傾斜させて、溝路２６の幅を一定に保持させ、転動するコインを最短距離でホッパ１８に送り出すことを可能とし、また、コインガイド２４を、従来と比べてコンパクトに構成することを可能としている。
【００４８】
かかる構成の溝路２８は、図７に示すように、コインセレクタ２３から送り出されたコイン２９を、遠心力を利用して、まず外側、すなわち、ガイド壁面２７側に傾けた後、ガイド壁面２７に沿ってガイド台２８側に傾倒させ、図９に示すように爾後の転動に際し、コイン２９が、常にその外周部２９ａが溝路２６と、内周面２９ｂの一部のみがガイド台２８と接触するので、従来の３点接触に比べ、転動に際して発生する摩擦抵抗を軽減させることができ、溝路２６のコーナー部Ｘを通過した後のコイン２９は、直線状の溝路２６により抵抗なくスムーズにホッパ１８に排出される。
【産業上の利用可能性】
【００４９】
この発明においては、遊技機としてパチスロ遊技機の例を説明したが、コインを使用する遊技機であれば、スロットマシンなど他の遊技機にも、この発明を適用することが可能なものである。
【図面の簡単な説明】
【００５０】
【図１】この発明の一実施形態に係るパチスロ遊技機のコインセレクタとコインガイドとの平面図である。
【図２】コインガイドの平面図である。
【図３】コインガイドの入り口部分の正面図である。
【図４】図２のＡ−Ａ線矢視図である。
【図５】図２のＢ−Ｂ線矢視図である。
【図６】図２のＣ−Ｃ線矢視図である。
【図７】コインの通過を示す平面からの説明図である。
【図８】コインの通過を示す入り口部正面からの説明図である。
【図９】図７のＡ−Ａ線矢視図である。
【図１０】コインの通過を示す側面からの説明図である。
【図１１】従来のパチスロ遊技機のコインセレクタとコインガイドとの平面図である。
【図１２】従来のコインガイドの斜視図である。
【図１３】従来のコインガイドの入り口部の正面図である。
【図１４】従来のコインガイドのコインの通過を示す平面からの説明図である。
【図１５】図１４のＡ−Ａ線矢視図である。
【図１６】図１５のＢ−Ｂ線矢視図である。
【図１７】従来のコインガイドの出口部の背面図である。
【図１８】パチスロ遊技機の全体の斜視図である。
【図１９】パチスロ遊技機の一部背面図である。
【図２０】パチスロ遊技機のホッパ部分の斜視図である。
【符号の説明】
【００５１】
１          パチスロ遊技機
２          前面扉
３          筐体
３ａ        パネル表示部
４ａ〜４ｃ  表示窓
５ａ〜５ｃ  リール
８          コイン投入口
１４          コイントレイ
１５          コイン払出口
１８          ホッパ
１９          バケット
２０          コイン払出装置
２３          コインセレクタ
２４          コインガイド
２６          溝路
２７          ガイド壁面
２８          ガイド台
２９          コイン
【図１】
2006081787.tif 000003
【図２】
2006081787.tif 000004
【図３】
2006081787.tif 000005
【図４】
2006081787.tif 000006
【図５】
2006081787.tif 000007
【図６】
2006081787.tif 000008
【図７】
2006081787.tif 000009
【図８】
2006081787.tif 000010
【図９】
2006081787.tif 000011
【図１０】
2006081787.tif 000012
【図１１】
2006081787.tif 000013
【図１２】
2006081787.tif 000014
【図１３】
2006081787.tif 000015
【図１４】
2006081787.tif 000016
【図１５】
2006081787.tif 000017
【図１６】
2006081787.tif 000018
【図１７】
2006081787.tif 000019
【図１８】
2006081787.tif 000020
【図１９】
2006081787.tif 000021
【図２０】
2006081787.tif 000022